【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
感光ドラムに形成された静電潜像を現像するためのトナーを収納し、収容されたトナーを現像ローラに供給する為の供給開口を有するトナー収納部、及び前記供給開口を塞ぐシール部材、及び前記シール部材を長手方向に沿って移動させ前記供給開口を開封するシール部材移動手段を含むカートリッジを着脱可能な画像形成装置において、
前記シール部材を巻き取る為のモータと、
前記感光ドラムで現像されたトナー像を担持する像担持体と、
前記像担持体上にパッチとして形成されたトナー像を検出する検出手段と、
前記検出手段の検出結果により、画像形成条件を設定する設定手段と、
前記カートリッジが装置本体に装着された際に、前記パッチの形成処理を、前記シール部材移動手段が前記シール部材を前記長手方向に沿って移動させ前記供給開口を開封する処理と並行して行う並行処理を制御する制御手段と、を有することを特徴とする画像形成装置。
【請求項２】
前記シール部材移動手段が前記シール部材を前記長手方向に沿って移動させ前記供給開口を開封する処理と並行して前記検出手段により、前記像担持体上に形成された濃度確認用パッチの濃度を検出し、前記濃度確認用パッチの濃度が安定したことに応じて、前記パッチのトナー像を前記像担持体に形成することを特徴とする請求項１記載の画像形成装置。
【請求項３】
前記パッチの形成処理は、前記像担持体の下地特性の検出、或いは前記像担持体上における前記パッチのトナー像の形成の少なくとも何れかを含むことを特徴とする請求項１または２に記載の画像形成装置。
【請求項４】
前記画像形成条件は、入力された画像データの階調値の変換テーブルの設定、或いは前記静電潜像を前記感光ドラムに形成する為のレーザ光の照射タイミングであることを特徴とする請求項１乃至３の何れか１項に記載の画像形成装置。
【請求項５】
前記制御手段は、前記開封が全て終了する前において、前記供給開口の長手方向において前記開封がなされた一部の供給開口を介してトナーを前記現像ローラに供給させることで、前記並行処理を制御することを特徴とする請求項１乃至４の何れか１項に記載の画像形成装置。
【請求項６】
前記パッチの形成処理は、画像濃度制御の為のパッチを形成する為の処理であり、前記制御手段は、前記画像濃度制御の為のパッチの形成処理を、前記開封する処理と並行して行い、その後に、色ずれ補正制御を行うことを特徴とする請求項１乃至５の何れか１項に記載の画像形成装置。
【請求項７】
前記カートリッジは、さらに感光ドラムを備えることを特徴とする請求項１乃至６のいずれか１項に記載の画像形成装置。
【請求項８】
トナーを収納し、収容されたトナーを現像ローラに供給する為の供給開口を有する収納手段と、
前記供給開口を塞ぐシール部材を前記現像ローラの長手方向に移動させ前記供給開口を開封するシール部材移動手段と、
前記現像ローラに供給されたトナーによりパッチを形成する画像形成手段と、
前記シール部材移動手段によって、前記供給開口を開封する処理を開始してから、前記供給開口の開封が完了するまでに、前記画像形成手段によって前記パッチを形成するように制御する制御手段と、を有することを特徴とする画像形成装置。
【請求項９】
トナーを収納し、収容されたトナーを現像ローラに供給する為の供給開口を有する収納手段の前記供給開口を塞ぐシール部材を前記現像ローラの長手方向に移動させ前記供給開口を開封する工程と、
前記供給開口を開封する工程によって、前記供給開口を開封する処理を開始してから、前記供給開口の開封が完了するまでに、前記現像ローラに供給されたトナーによりパッチを形成する画像形成手段によって前記パッチを形成する工程と、を有することを特徴とする画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００１
【補正方法】変更
【補正の内容】
【０００１】
本発明は、例えば複写機あるいはプリンタ等の電子写真方式の画像形成装置及び画像形成方法に関し、特に画像形成条件を変更或いは設定可能な画像形成装置及び画像形成方法に関する。
【手続補正４】
【補正対象書類名】明細書
【補正対象項目名】００１４
【補正方法】変更
【補正の内容】
【００１４】
（１）感光ドラムに形成された静電潜像を現像するためのトナーを収納し、収容されたトナーを現像ローラに供給する為の供給開口を有するトナー収納部、及び前記供給開口を塞ぐシール部材、及び前記シール部材を長手方向に沿って移動させ前記供給開口を開封するシール部材移動手段を含むカートリッジを着脱可能な画像形成装置において、
前記シール部材を巻き取る為のモータと、
前記感光ドラムで現像されたトナー像を担持する像担持体と、
前記像担持体上にパッチとして形成されたトナー像を検出する検出手段と、
前記検出手段の検出結果により、画像形成条件を設定する設定手段と、
前記カートリッジが装置本体に装着された際に、前記パッチの形成処理を、前記シール部材移動手段が前記シール部材を前記長手方向に沿って移動させ前記供給開口を開封する処理と並行して行う並行処理を制御する制御手段と、を有することを特徴とする画像形成装置。
（２）トナーを収納し、収容されたトナーを現像ローラに供給する為の供給開口を有する収納手段と、
前記供給開口を塞ぐシール部材を前記現像ローラの長手方向に移動させ前記供給開口を開封するシール部材移動手段と、
前記現像ローラに供給されたトナーによりパッチを形成する画像形成手段と、
前記シール部材移動手段によって、前記供給開口を開封する処理を開始してから、前記供給開口の開封が完了するまでに、前記画像形成手段によって前記パッチを形成するように制御する制御手段と、を有することを特徴とする画像形成装置。
【手続補正５】
【補正対象書類名】明細書
【補正対象項目名】００３０
【補正方法】変更
【補正の内容】
【００３０】
１０５は、プリンタ内の不揮発メモリへアクセスする不揮発メモリアクセス部である。１０６は、プリンタ内の転写材の搬送状況を検知する搬送センサ検出部である。１０７は、プリンタ制御部１０２の指示により定着装置１７の加熱制御を行う定着器制御部である。１０８は、プリンタ制御部１０２の指示によりレーザユニット７を制御する露光制御部である。１０９は、プリンタ制御部１０２の指示により帯電ローラ２や現像ローラ３、及び一次転写ローラ６に高圧を印加する高圧制御部１０９である。１１０は、プリンタ制御部１０２の指示によりモータ類を制御するモータ駆動制御部である。プロセスカートリッジを構成する感光ドラム１、現像ローラ３等の各部材をはじめ、給紙ローラ１４、駆動ローラ９等の駆動を制御する。１１１は、プロセスカートリッジ搭載の不揮発メモリと通信し、カートリッジの情報を読み書きするカートリッジ通信部である。
【手続補正６】
【補正対象書類名】明細書
【補正対象項目名】００５１
【補正方法】変更
【補正の内容】
【００５１】
初期トナー吐き出し後は、定期的に微量のトナー吐き出しを行う（Ｓ１０６）。その間隔ｔＰｉは、現像ローラ２周分の時間とした。また、吐き出し幅ｔＰｌは、５０ｍｓとした。通常の画像形成プロセスの中で、画像領域でレーザユニット７を発光させることにより、トナー吐き出しを行う。初期トナー吐き出し直後は、レーザユニット７を発光させているものの、シールが開封されている箇所がなく、現像ローラ３にトナーが供給されていないため、実際にイエロードラム上にパッチは作像されない。図９中でレーザユニット７を発光しているものの、パッチ作像されていない箇所は、Ｔ１２１、Ｔ１２２の箇所のように点線で表記している。この定期トナー吐き出しにおいても、一次転写ローラ６Ｙに負極性の１次転写バイアスを印加して、中間転写ベルト８にトナーが付着しないようにしている。
【手続補正７】
【補正対象書類名】明細書
【補正対象項目名】００７９
【補正方法】変更
【補正の内容】
【００７９】
上記説明したように、本実施例によれば、新品カートリッジ交換時に、シール開封制御（シール開封処理）と色ずれ補正制御が並列で実施されることになり、ウェイトタイムを短縮できる。また、発展形態として実施例１、２で説明した画像濃度制御をまず行った後に、色ずれ補正制御を実施することも、もちろん可能であり、それが実施できれば、最大の効果を上げることができる。このときの色ずれ補正制御では、実施例３で説明した全ての工程の処理を行う必要は無く、トナーコートが既に画像濃度制御で完了しているものとして、Ｔ４１１以降の処理をプリンタ制御部１０２の指示のもと、行えば良い。
【手続補正８】
【補正対象書類名】図面
【補正対象項目名】図８
【補正方法】変更
【補正の内容】
【図８】
2011175080.tif 000001